(57)【要約】【課題】  組み立て作業性が良く、電気的な配線作業および電気的な点検作業が容易にでき、生産性が高く、在庫管理も容易にできる鍵盤楽器を提供する。【解決手段】  複数の鍵１１が音階順に配列されてそれぞれ上下方向に回転可能に設けられた鍵盤シャーシ１０に、スピーカ３２を設けた。従って、鍵盤シャーシ１０とスピーカ３２とを一体化してユニット化を図ることができる。これにより、組み立て作業性の向上を図ると共に、鍵盤シャーシ１０およびスピーカ３２を楽器本体１内に組み込む前に、鍵盤シャーシ１０とスピーカ３２との電気的な配線作業ができると共に、その両者の電気的な点検をも行なうことができる。このため、生産性の高いものを提供することができると共に、鍵盤シャーシ１０とスピーカ３２とを一体化した状態で保管することができるので、保管場所のスペースが確保しやすいので、在庫管理も容易にできる。【選択図】        図３
2011053434.tif 000002
【特許請求の範囲】
【請求項１】
複数の鍵が音階順に配列されてそれぞれ上下方向に回転可能に設けられた鍵盤シャーシに、スピーカを設けたことを特徴とする鍵盤楽器。
【請求項２】
前記スピーカは、前記鍵盤シャーシの下面に取り付けられ、発生した音を前記鍵盤シャーシ内に向けて放音することを特徴とする請求項１に記載の鍵盤楽器。
【請求項３】
前記鍵盤シャーシは、その内外に貫通する隙間を有して内部が中空状に形成されており、この鍵盤シャーシの後部には、前記スピーカを取り付けるためのスピーカ取付部が設けられていることを特徴とする請求項２に記載の鍵盤楽器。
【請求項４】
前記鍵盤シャーシを収容する楽器本体を備えており、この楽器本体の底部には、前記スピーカが挿入して下側に突出する開口部が設けられていることを特徴とする請求項１〜３のいずれかに記載の鍵盤楽器。
【発明の詳細な説明】
【技術分野】
【０００１】
この発明は、電子ピアノや電子オルガンなどの鍵盤楽器に関する。
【背景技術】
【０００２】
従来、鍵盤楽器においては、特許文献１に記載されているように、楽器全体の小型化を図るために、鍵盤シャーシ上に複数の鍵が配列された鍵盤部を楽器ケース内に設け、この鍵盤部が設けられた楽器本体の下面にスピーカボックスを設け、このスピーカボックス内にスピーカを垂直方向に対して斜め前下がり傾けて配置した構成のものが知られている。
【先行技術文献】
【特許文献】
【０００３】
【特許文献１】特開２０００−８１８８５号公報
【発明の概要】
【発明が解決しようとする課題】
【０００４】
しかしながら、このような従来の鍵盤楽器では、楽器本体に鍵盤部とスピーカとを別々に取り付けているので、組み立て作業が煩雑で面倒であるという問題があるほか、鍵盤部とスピーカとを楽器本体に組み付けなければ、鍵盤部とスピーカとを電気的に接続することができないため、配線作業が面倒であるばかりか、鍵盤部とスピーカとの電気的な点検ができないという問題がある。
【０００５】
この発明が解決しようとする課題は、組み立て作業性が良く、電気的な配線作業および電気的な点検作業が容易にでき、生産性が高く、在庫管理も容易にできる鍵盤楽器を提供することである。
【課題を解決するための手段】
【０００６】
この発明は、上記課題を解決するために、次のような構成要素を備えている。
請求項１に記載の発明は、複数の鍵が音階順に配列されてそれぞれ上下方向に回転可能に設けられた鍵盤シャーシに、スピーカを設けたことを特徴とする鍵盤楽器である。
【０００７】
請求項２に記載の発明は、前記スピーカが、前記鍵盤シャーシの下面に取り付けられ、発生した音を前記鍵盤シャーシ内に向けて放音することを特徴とする請求項１に記載の鍵盤楽器である。
【０００８】
請求項３に記載の発明は、前記鍵盤シャーシが、その内外に貫通する隙間を有して内部が中空状に形成されており、この鍵盤シャーシの後部には、前記スピーカを取り付けるためのスピーカ取付部が設けられていることを特徴とする請求項２に記載の鍵盤楽器である。
【０００９】
請求項４に記載の発明は、前記鍵盤シャーシを収容する楽器本体を備えており、この楽器本体の底部には、前記スピーカが挿入して下側に突出する開口部が設けられていることを特徴とする請求項１〜３のいずれかに記載の鍵盤楽器である。
【発明の効果】
【００１０】
この発明によれば、鍵盤シャーシとスピーカとを一体化してユニット化を図ることができ、これにより組み立て作業性の向上を図ることができると共に、鍵盤シャーシおよびスピーカを楽器本体内に組み込む前に、鍵盤シャーシとスピーカとの電気的な配線作業ができると共に、その両者の電気的な点検をも行なうことができる。このため、組み立て作業性が良く、電気的な配線作業および電気的な点検作業が容易にできるので、生産性が高く、在庫管理も容易にできる。
【図面の簡単な説明】
【００１１】
【図１】この発明を適用した鍵盤楽器の一実施形態を示した正面図である。
【図２】図１の鍵盤楽器の平面図である。
【図３】図１のＡ−Ａ矢視における要部の拡大断面図である。
【図４】図１の鍵盤楽器において鍵盤シャーシと楽器本体とを分解して下側から見た要部の分解斜視図である。
【図５】図３の鍵盤楽器におけるスピーカ部を示した拡大底面図である。
【図６】図１のスピーカ部においてスピーカボックスを取り外し、且つ一方のスピーカを取り外した状態を示し、（ａ）はその状態において底板を下方から見た一部破断した底面図、（ｂ）はそのＢ−Ｂ矢視においてスピーカを取り付けた状態を示した断面図である。
【発明を実施するための形態】
【００１２】
以下、図１〜図６を参照して、この発明を適用した鍵盤楽器の一実施形態について説明する。
この鍵盤楽器は、図１および図２に示すように、楽器本体１を備えている。この楽器本体１は、左右両側の一対の側板２と、この一対の側板２間における上部側に設けられた底板３と、この底板３の前端部に起立して設けられた前板４と、底板３の後端部に起立して設けられた背面板５と、この背面板５および一対の側板２の各上端部に配置された天板６と、一対の側板２間における下端部に設けられたフットペダル７とを備えている。
【００１３】
この場合、一対の側板２は、図１に示すように、楽器本体１のスタンドとしての脚部を兼ねるものであり、図３に示すように、その上端部における前側（図３では左側）の半分程度が前下がりに傾斜し、その後側の半分程度が水平に形成されている。前板４は、図３に示すように、背面板５の半分程度の高さに形成されている。また、天板６は、一対の側板２の上端部における後側の水平部分と背面板５の上端部とに亘って取り付けられている。これにより、楽器本体１は、図２および図３に示すように、前側(図３では左側)の半分程度が上方に開放された構成になっている。
【００１４】
この楽器本体１内における底板３上には、図１〜図３に示すように、鍵盤部８が上方に開放された前側の半分程度に位置する箇所に対応して配置されている。この鍵盤部８は、図３に示すように、楽器本体１の底板３上に配置された鍵盤シャーシ１０を備えている。この鍵盤シャーシ１０は、合成樹脂からなり、内部がほぼ中空状に形成されている。
【００１５】
この鍵盤シャーシ１０には、上下方向に回動可能に設けられた複数の鍵１１と、この複数の鍵１１の押鍵操作に応じて各鍵１１にそれぞれアクション荷重を付与する複数のハンマー部材１２と、複数の鍵１１の各押鍵操作に応じてそれぞれスイッチ信号を出力するスイッチ部１３と、複数の鍵１１の内側にそれぞれ光を照射する複数の発光部１４と、楽音を発音するためのスピーカ部３０とが設けられている。
【００１６】
この場合、複数の鍵１１は、図１〜図３に示すように、白鍵および黒鍵からなり、光透過性を有する合成樹脂によって形成され、その各後端部が鍵盤シャーシ１０の後側上部（図３では右側上部）に設けられた鍵支持部１０ａにそれぞれ軸部１１ａによって上下方向に回動可能に設けられ、この状態で図２に示すように、音階順に複数配列された構成になっている。
【００１７】
複数のハンマー部材１２は、図３に示すように、複数の鍵１１の下側にそれぞれ対応した状態で、鍵盤シャーシ１０に設けられたハンマー支持部１０ｂにそれぞれ軸部１２ａによって上下方向に回動可能に取り付けられている。この場合、ハンマー部材１２は、その軸部１２ａ側に位置する先端部（図３では左端部）が鍵盤シャーシ１０に設けられた開口部１０ｃに後方（図３では右側）から挿入されて鍵１１の下面に下側から当接するように構成されている。
【００１８】
これにより、複数のハンマー部材１２は、図３に示すように、複数の鍵１１が押鍵操作されると、その押鍵操作に応じてハンマー部材１２の先端部（図３では左端部）がそれぞれ押し下げられると共に、各ハンマー部材１２がその各重量に抗して軸部１２ａを中心にそれぞれ図３において反時計回りに回動することにより、各鍵１１にそれぞれアクション荷重付与するように構成されている。
【００１９】
また、この複数のハンマー部材１２は、図３に示すように、鍵１１が押鍵操作されない初期状態のときに、ハンマー部材１２の後端部が鍵盤シャーシ１０の後側下部に設けられた後述するスピーカ取付部１５の底板部１５ａの前端部上に配置されたフェルトなどの下限ストッパ部１６に上方から当接することにより、ハンマー部材１２の下限位置が規制されるように構成されている。
【００２０】
スイッチ部１３は、図３に示すように、スイッチ基板１７上に配置されたゴムシート１８を備え、このゴムシート１８にドーム状の膨出部を鍵１１のスイッチ押圧部１９にそれぞれ対応させて形成した構成になっている。これにより、スイッチ部１３は、ゴムシート１８の膨出部が鍵１１のスイッチ押圧部１９によって押圧された際に、その膨出部が弾性変形して、その内部の可動接点がスイッチ基板１７上の固定接点に接触することにより、各鍵１１の押鍵操作に応じてそれぞれスイッチ信号を出力するように構成されている。
【００２１】
複数の発光部１４は、それぞれ発光ダイオード（ＬＥＤ）などの発光素子からなり、図３に示すように、鍵盤シャーシ１０上に複数の鍵１１である各白鍵および各黒鍵の各前部側にそれぞれ対応して設けられている。この複数の発光部１４は、鍵盤シャーシ１０に設けられたスイッチ部１３のスイッチ基板１７にそれぞれ電気的に接続されている。この場合、白鍵に対応する発光部１４は、鍵盤シャーシ１０の前側上部に設けられて、白鍵の前側内部に光を照射するように構成されている。
【００２２】
また、黒鍵に対応する発光部１４は、図３に示すように、鍵盤シャーシ１０の中間部における上部に設けられて、黒鍵の前側内部に光を照射するように構成されている。これにより、複数の発光部１４は、発光した光をそれぞれ各鍵１１の前側内部に照射し、その照射された光が各鍵１１を透過することにより、各鍵１１の前部側をそれぞれ光らせるように構成されている。
【００２３】
ところで、この楽器本体１には、図３に示すように、鍵盤部８の上側を覆う鍵盤蓋２０が開閉可能に設けられている。この鍵盤蓋２０は、鍵盤部８を操作しないときに、鍵盤部８の上方に配置されて鍵盤部８を覆い、鍵盤部８を操作するときに、図３に示すように、楽器本体１内の後部側（図３では右側）に収納されて鍵盤部８を露出させるように構成されている。
【００２４】
すなわち、この鍵盤蓋２０は、前蓋２０ａと後蓋２０ｂとに分割され、この分割された前蓋２０ａと後蓋２０ｂとが連結部２１によって回動可能に連結された構成になっている。この場合、前蓋２０ａの前端部（図３では左端部）には、図３に示すように、前側ガイド軸２２が設けられていると共に、鍵盤蓋２０を開閉するための取手部２３が設けられている。また、後蓋２０ｂの後端部（図３では右端部）には、後側ガイド軸２４が設けられており、この後側ガイド軸２４には、ピニオンギア２５が回転自在に取り付けられている。
【００２５】
また、楽器本体１における一対の側板２の内面における前側上部（図３では左側上部）には、図３に示すように、鍵盤蓋２０の前蓋２０ａに設けられた前側ガイド軸２２をスライド可能にガイドする前側ガイド部２６が設けられている。この前側ガイド部２６は、一対の側板２の内面に前後方向（図３では左右方向）に沿って設けられた溝部である。
【００２６】
さらに、この楽器本体１における一対の側板２の内面における後部上側（図３では右上側）には、図３に示すように、鍵盤蓋２０の後蓋２０ｂに設けられた後側ガイド軸２４をスライド可能にガイドする後側ガイド部２７が後部下がり（図３では右下がり）に円弧状に湾曲した状態で傾斜して設けられている。この後側ガイド部２７には、ピニオンギア２５が噛み合って転動するラックギア２８が後側ガイド部２７に沿って設けられている。
【００２７】
これにより、鍵盤蓋２０は、取手部２３を楽器本体１の前側(図３では左側)に移動させて、前側ガイド軸２２を前側ガイド部２６の前端部に位置させると、後側ガイド軸２４が後側ガイド部２７の前側上部に位置すると共に、ピニオンギア２５がラックギア２８の前側上部に位置し、これにより前蓋２０ａと後蓋２０ｂとが前下がりに傾斜した状態で、鍵盤部８の上側を覆うように構成されている。
【００２８】
また、この鍵盤蓋２０は、図３に示すように、取手部２３を持ち上げながら楽器本体１の後側(図３では右側)に移動させると、前側ガイド軸２２が前側ガイド部２６に沿って後方に移動すると共に、後側ガイド軸２４が後側ガイド部２７に沿って後方に移動しながらピニオンギア２５がラックギア２８に噛み合って後方に向けて転動するように構成されている。
【００２９】
この場合、鍵盤蓋２０は、図３に示すように、ピニオンギア２５がラックギア２８に沿って斜め下側に移動すると共に、後側ガイド軸２４が後側ガイド部２７に沿って斜め下側に移動することにより、後蓋２０ｂが前蓋２０ａに対して連結部２１を中心に徐々に折れ曲がりながら斜め後側下部（図３では右側下部）に向けて移動するように構成されている。
【００３０】
また、この鍵盤蓋２０は、図３に示すように、後側ガイド軸２４が後側ガイド部２７の後端下部（図３では右端下部）に位置し、ピニオンギア２５がラックギア２８の後端下部に位置すると、後蓋２０ｂが楽器本体１内における鍵盤部８の後方に起立して配置されると共に、前蓋２０ａの前側ガイド軸２２が前側ガイド部２６の後端部（図３では右端部）に位置するように構成されている。
【００３１】
このときに、鍵盤蓋２０は、図３に示すように、前蓋２０ａの前部が前側ガイド軸２２によって保持され、前蓋２０ａの後部が後蓋２０ｂの前端部（図３では上端部）によって保持されると共に、前蓋２０ａが天板６の下側にこれとほぼ平行な状態で配置されることにより、鍵盤部８を上方に露出させるように構成されている。
【００３２】
ところで、この鍵盤シャーシ１０の下部両側には、図１および図４に示すように、スピーカ部３０がそれぞれ下側に突出した状態で設けられている。このスピーカ部３０は、図４に示すように、鍵盤シャーシ１０のスピーカ取付部１５に取り付けられた状態で、楽器本体１の底板３に設けられた開口部３３を通して楽器本体１の底板３から下側に突出して配置されるように構成されている。
【００３３】
この場合、鍵盤シャーシ１０のスピーカ取付部１５は、図３および図４に示すように、鍵盤シャーシ１０の後端下部にその前後方向に水平に延出された底板部１５ａと、鍵盤シャーシ１０の鍵支持部１０ａの前側（図３では左側）に位置する内面から垂下された取付ボス部１５ｂとを備えている。また、楽器本体１の底板３の開口部３３は、図３および図４に示すように、楽器本体１の内部と外部とに開放された貫通孔であり、底板３の両側にそれぞれ設けられている。
【００３４】
スピーカ部３０は、図３および図４に示すように、スピーカボックス３１と、このスピーカボックス３１によって覆われるスピーカ３２とを備えている。スピーカボックス３１は、図３〜図５に示すように、その上面側が上方に開放された箱状に形成されている。この場合、スピーカボックス３１の外面には、図５に示すように、上下方向に細長いスリット状の多数の放音孔３１ａが設けられている。このスピーカボックス３１は、図３に示すように、鍵盤シャーシ１０のスピーカ取付部１５にスピーカ３２と共にビス３０ａによって取り付けられ、楽器本体１の底板３から下側に突出して配置されている。
【００３５】
スピーカ３２は、図３および図４に示すように、音を発生するバッフル面側（図３では上面側）を上に向けた状態で、図６（ａ）および図６（ｂ）に示すように、鍵盤シャーシ１０のスピーカ取付部１５における底板部１５ａと取付ボス部１５ｂとにスピーカボックス３１と共にビス３０ａによって取り付けられている。
【００３６】
これにより、スピーカ３２は、図３に示すように、発音した音のほとんどが鍵盤シャーシ１０の内部と楽器ケース１の内部とに放音されると共に、残りの音がスピーカボックス３１の各放音孔３１ａから楽器本体１の底板３の下側に放音されるように構成されている。この場合、鍵盤シャーシ１０には、図３に示すように、ハンマー部材１２の先端部（図３では左端部）が挿入する開口部１０ｃや、鍵支持部１０ａからハンマー支持部１０ｂまでの間に設けられたスリット孔１０ｄなどの各種の隙間が内外に貫通にて形成されている。
【００３７】
次に、この鍵盤楽器を組み立てる場合について説明する。
まず、鍵盤部８を組み立てる。このときには、鍵盤シャーシ１０上にスイッチ部１３のスイッチ基板１７を取り付けると共に、発光部１４を取り付ける。この後、鍵盤シャーシ１０上に複数の鍵１１を上下方向に回転可能な状態で配列させて取り付けると共に、この複数の鍵１１に対応させて複数のハンマー部材１２を鍵盤シャーシ１０に取り付ける。
【００３８】
この後、鍵盤シャーシ１０にスピーカ部３０を取り付ける。このときには、鍵盤シャーシ１０の後側下部に設けられたスピーカ取付部１５にスピーカ３２を上向きにして対応させ、この状態でスピーカ３２をスピーカボックス３１で覆い、このスピーカボックス３１を鍵盤シャーシ１０のスピーカ取付部１５にビス３０ａによってスピーカ３２と共に取り付ける。これにより、鍵盤シャーシ１０とスピーカ部３０とが一体化される。
【００３９】
この状態では、鍵盤シャーシ１０とスピーカ部３０とが一体化されていることにより、鍵盤シャーシ１０のスイッチ部１３のスイッチ基板１７、発光部１４、およびスピーカ部３０のスピーカ３２を相互に配線して電気的に接続することができる。これにより、鍵盤部８は、製品としての検査ができる。すなわち、鍵盤シャーシ１０に配列された複数の鍵１１を押鍵操作してスピーカ３２から楽音を発音させることにより、複数の鍵１１およびこれに対応するハンマー部材１２を調整すると共に、スピーカ３２から発音される音を調整する。
【００４０】
この後、スピーカ部３０が設けられた鍵盤部８を楽器本体１内に組み込む。このときには、鍵盤シャーシ１０の後側下部に取り付けられたスピーカ部３０を楽器本体１の底板３に設けられた開口部３３に上方から対応させ、この状態でスピーカ部３０を底板３の開口部３３に挿入させて、鍵盤シャーシ１０を楽器本体１の底板３上に配置する。これにより、鍵盤シャーシ１０が楽器本体１内に配置されると共に、スピーカ部３０が楽器本体１の底板３から下側に突出した状態で配置される。
【００４１】
次に、この鍵盤楽器を使用する場合について説明する。
まず、図３に示すように、鍵盤部８の上側を覆っている鍵盤蓋２０を開いて、鍵盤部８を露出させる。このときには、前蓋２０ａの前端部に設けられた取手部２３を持ち上げながら楽器本体１の後側(図３では右側)に移動させる。すると、前側ガイド軸２２が前側ガイド部２６に沿って後方に移動すると共に、後側ガイド軸２４が後側ガイド部２７に沿って後方に移動しながらピニオンギア２５がラックギア２８に噛み合って後方に向けて転動する。
【００４２】
そして、ピニオンギア２５がラックギア２８に沿って斜め下側に移動すると共に、後側ガイド軸２４が後側ガイド部２７に沿って斜め下側に移動すると、後蓋２０ｂが前蓋２０ａに対して連結部２１を中心に徐々に折れ曲がりながら斜め後側下部（図３では右側下部）に向けて移動する。こときには、前蓋２０ａの前端部（図３では左端部）が前側ガイド軸２２によって支持されながら前側ガイド部２６に沿って後方に移動すると共に、前蓋２０ａの後端部が後蓋２０ｂの前端部によって支持されながら後方に移動する。
【００４３】
そして、図３に示すように、後側ガイド軸２４が後側ガイド部２７の後端下部（図３では右端下側）に位置して保持されると共に、ピニオンギア２５がラックギア２８の後端下部に位置して保持されると、後蓋２０ｂが楽器本体１内における鍵盤部８の後方に起立する。このときには、後蓋２０ｂが楽器本体１の背面板５に接近した状態で、その背面板５とほぼ平行に起立して配置される。
【００４４】
また、前蓋２０ａは、図３に示すように、その前側ガイド軸２２が前側ガイド部２６の後端部に位置して、前蓋２０ａの前部が前側ガイド軸２２によって保持され、前蓋２０ａの後部が後蓋２０ｂの前端部(図３では上端部)によって保持された状態で、前蓋２０ａが天板６の下側に接近してほぼ平行に配置される。これにより、鍵盤蓋２０がほぼ直角に折り曲げられた状態で楽器本体１内の後部側に収納されて、鍵盤部８を楽器本体１の前側上部に露出させる。
【００４５】
この状態で、鍵盤部８の各鍵１１を押鍵操作して演奏を行うと、その押鍵操作に応じてスピーカ３２が演奏音を放音する。このときには、スピーカ３２で発音された演奏音のほとんどが、鍵盤部８の鍵盤シャーシ１０内と楽器本体１内とに放音され、この放音された演奏音が鍵盤部８側から楽器本体１の前側外部に向けて放音される。
【００４６】
すなわち、スピーカ３２から上方に放音された演奏音は、そのほとんどが鍵盤部８の鍵盤シャーシ１０内を通り抜けて、鍵盤部８における複数の鍵１１の各隙間を通り抜け、鍵盤部８の斜め前側上方に向けて放音される。このときには、スピーカ３２から放音された１００ヘルツ以下の音の振動が鍵盤シャーシ１０に伝わって鍵盤シャーシ１０を振動させ、この鍵盤シャーシ１０の振動が、押鍵操作している演奏者の指先に伝わることにより、アコースティックピアノに近似した振動が体感できる。
【００４７】
また、スピーカ３２から楽器本体１内に放音された演奏音は、楽器本体１内の後部側に収納されてほぼ直角に折り曲げられた鍵盤蓋２０によって反射されて鍵盤部８の上方から楽器本体１の前側に向けて放音されると共に、鍵盤蓋２０と楽器本体１の背面板５および天板６との間の隙間６をも通り抜けて鍵盤部８の上方から楽器本体１の前側に向けて放音される。
【００４８】
一方、スピーカ３２で発音されて楽器本体１内に放音されない残りの演奏音は、スピーカボックス３１の各放音孔３１ａから楽器本体１の底板３の下側に向けて放音されることにより、演奏者にその足元から回り込んで聞こえることになる。これにより、スピーカ３２で発音された演奏音は、楽器本体１の鍵盤部８側から楽器本体１の前側に放音された演奏音と、楽器本体１の底板３の下側に放音された演奏音との両方によって、楽器全体から放音されているように、演奏者に聞こえる。
【００４９】
このように、この鍵盤楽器によれば、複数の鍵１１が音階順に配列されてそれぞれ上下方向に回転可能に設けられた鍵盤シャーシ１０に、スピーカ３２を設けた構成であるから、鍵盤シャーシ１０とスピーカ３２とを一体化してユニット化を図ることができる。これにより、組み立て作業性の向上を図ることができると共に、鍵盤シャーシ１０およびスピーカ３２を楽器本体１内に組み込む前に、鍵盤シャーシ１０とスピーカ３２との電気的な配線作業ができると共に、その両者の電気的な点検をも行なうことができる。
【００５０】
このため、組み立て作業性が良く、鍵盤シャーシ１０とスピーカ３２との電気的な配線作業および電気的な点検作業が容易にできるので、生産性の高いものを提供することができると共に、鍵盤シャーシ１０およびスピーカ３２を楽器本体１内に組み込む前に、鍵盤シャーシ１０とスピーカ３２とを一体化した状態で保管することができるので、保管場所のスペースが確保しやすくなり、これにより在庫管理も容易にできる。
【００５１】
この場合、スピーカ３２は、鍵盤シャーシ１０の後部下面に取り付けられ、発生した音を鍵盤シャーシ１０内に向けて放音するので、スピーカ３２から放音された演奏音が鍵盤シャーシ１０内から複数の鍵１１の各隙間を通り抜けることにより、その通り抜けた演奏音を鍵盤部８の斜め前側上方に向けて良好に放音することができる。このため、スピーカ３２から放音された演奏音を楽器本体１内の鍵盤部８側から楽器本体１の前側外部に向けて放音させることができるので、音響性能が良く、演奏者が演奏音を違和感なく良好に聞くことができる。
【００５２】
また、スピーカ３２から放音された演奏音のうち、楽器本体１内に放音された演奏音は、楽器本体１内の後部側に収納されてほぼ直角に折り曲げられた鍵盤蓋２０によって反射されて鍵盤部８の上方から楽器本体１の前側に向けて放音されると共に、鍵盤蓋２０と楽器本体１の背面板５および天板６との間の隙間６をも通り抜けて鍵盤部８の上方から楽器本体１の前側に向けて放音されるので、これによっても音響性能が良く、演奏者が演奏音を違和感なく良好に聞くことができる。
【００５３】
さらに、スピーカ３２で発音されて上側に放音されない残りの演奏音は、スピーカボックス３１の各放音孔３１ａから楽器本体１の底板３の下側に向けて放音されることにより、演奏者にその足元から回り込んで聞こえるように、演奏音を放音することができる。これにより、スピーカ３２で発音された演奏音は、楽器本体１の鍵盤部８側から楽器本体１の前側に放音された演奏音と、楽器本体１の底板３の下側に放音された演奏音との両方によって、楽器全体から放音されることになるので、音響性能が良く、演奏者が演奏音を違和感なく良好に聞くことができる。
【００５４】
また、この鍵盤楽器では、鍵盤シャーシ１０が内外に貫通する開口部１０ｃやスリット孔１０ｄなどの各種の隙間を有して内部が中空状に形成されているので、スピーカ３２から放音された演奏音を鍵盤シャーシ１０内の全域に亘って導き、この導かれた演奏音を鍵盤シャーシ１０の開口部１０ｃやスリット孔１０ｄなどの各種の隙間から鍵盤シャーシ１０の外部に放音し、この放音された演奏音を複数の鍵１１の各隙間から鍵盤部８の斜め前側上方に向けて良好に放音することができる。
【００５５】
このときには、スピーカ３２から放音された１００ヘルツ以下の音の振動が鍵盤シャーシ１０に伝わって鍵盤シャーシ１０を振動させることができるので、この鍵盤シャーシ１０の振動を、押鍵操作している演奏者の指先で感じることができ、これによりアコースティックピアノに近似した振動を体感することができる。
【００５６】
また、この鍵盤シャーシ１０の後側下部には、スピーカ３２を取り付けるためのスピーカ取付部１５が設けられているので、スピーカ３２を簡単に且つ容易に鍵盤シャーシ１０に取り付けることができ、これによっても取付作業性の向上を図ることができる。この場合、スピーカ取付部１５は、鍵盤シャーシ１０の後側下部に設けられた底板部１５ａと、鍵盤シャーシ１０に設けられた取付ボス部１５ｂとを備えているので、スピーカ取付部１５にスピーカ３２を上向きに取り付けても、スピーカ３２で放音された演奏音を鍵盤シャーシ１０内に良好に放音させることができる。
【００５７】
さらに、この鍵盤楽器では、鍵盤シャーシ１０を収容する楽器本体１を備えており、この楽器本体１の底板３には、スピーカ３２が挿入して下側に突出する開口部３３が設けられているので、鍵盤部８を楽器本体１内に組み込む際に、スピーカ３２を楽器本体１の底板３の開口部３３に挿入させるだけで、簡単に鍵盤シャーシ１０を楽器本体１内に組み込むことができ、これによっても組み立て作業性の向上を図ることができると共に、スピーカ３２を楽器本体１の底板３の下側に突出させているので、楽器本体１をコンパクトに構成することができ、これにより楽器全体の小型化を図ることができる。
【００５８】
なお、前述した実施形態では、スピーカ３２を鍵盤シャーシ１０の下面に設けた場合について述べたが、これに限らず、例えば鍵盤シャーシ１０の後端の立上がり部に設けても良く、また鍵盤シャーシ１０における鍵１１の配列方向の両側にそれぞれ設けても良い。この場合にも、開口部３３は、鍵盤部８の後方に位置する箇所の背面板５の両側部、または鍵盤部８の両側に位置する箇所の一対の側板２にそれぞれ設ければ良い。
【００５９】
また、前述した実施形態では、スピーカ部３０がスピーカ３２とこのスピーカ３２を覆うスピーカボックス３１とを備え、これらが鍵盤シャーシ１０の後側下部に設けられたスピーカ取付部１５に取り付けられた構成である場合について述べたが、これに限らず、スピーカ３２のみを鍵盤シャーシ１０のスピーカ取付部１５に取り付け、スピーカボックス３１を楽器本体１の底板３の下面にスピーカ３２と別に取り付けた構成であっても良い。
【００６０】
さらに、前述した実施形態では、鍵盤部８が複数の鍵１１の押鍵操作に応じてそれぞれ各鍵１１にアクション荷重付与する複数のハンマー部材１２を備えた構成である場合について述べたが、必ずしもハンマー部材１２を備えた構成である必要はなく、ハンマー部材１２を用いない簡易型の鍵盤楽器にも適用することができる。この場合には、ハンマー部材１２の下限位置を規制する下限ストッパ部１６が不要であるから、楽器本体１の底板３に設けられる開口部３３が下限ストッパ部１６の制約を受けないため、開口部３３を自由な形状および大きさで底板３に設けることができる。
【符号の説明】
【００６１】
１  楽器本体
２  側板
３  底板
４  前板
５  背面板
６  天板
８  鍵盤部
１０  鍵盤シャーシ
１０ａ  鍵支持部
１０ｂ  ハンマー支持部
１０ｃ  開口部
１０ｄ  スリット孔
１１  鍵
１５  スピーカ取付部
２０  鍵盤蓋
３０  スピーカ部
３１  スピーカボックス
３２  スピーカ
３３  開口部
【図１】
2011053434.tif 000003
【図２】
2011053434.tif 000004
【図３】
2011053434.tif 000005
【図４】
2011053434.tif 000006
【図５】
2011053434.tif 000007
【図６】
2011053434.tif 000008